(57)【要約】      （修正有）【課題】簡単で、且つコストが低く、逆回転復位し、時間が無駄にかからず、狭い空間で使用できるリングスパナの構造を提供する。【解決手段】リングスパナの構造は、スパナ本体１０から構成される。このスパナ本体は少なくとも一端にリングスパナのボックス部１１が設置され、このリングスパナのボックス部内縁には複数の山から構成される受部が形成され、ネジ部品を動かす。受部の別端には凹槽の肩部が設置され、その肩部には弾性を具えた塑性体１５が掛合される。平滑部１３は受部の別端に設置され、その平滑部直径は山を具えた受部よりやや大きい。そのため、ネジ部品が平滑部に納置されたとき、空転し、スパナ本体が逆方向に復位し、簡易にスパナを操作する。【選択図】図２
2005262398.tif 000002
【特許請求の範囲】
【請求項１】
スパナ本体から構成されたリングスパナの構造において、少なくとも一端にボックス部を具え、このボックス部内壁縁には適する深度で複数の山を具えた受部が成形され、そのうち受部一端には凹んだ肩部が設置され、その肩部に弾性を具えた塑性体を掛合し、ボックス部の別端は受部より口径のやや大きい平滑部が成形されるもので、塑性体に圧力がかからない時、ネジ部品を平滑部へ押し出すことを特徴とするリングスパナの構造。
【請求項２】
前記塑性体は、プラスチック材質であることを特徴とする請求項１記載のリングスパナの構造。
【請求項３】
前記塑性体は、ゴム材質であることを特徴とする請求項１記載のリングスパナの構造。
【請求項４】
前記塑性体は、空気クッションであることを特徴とする請求項１記載のリングスパナの構造。
【発明の詳細な説明】
【技術分野】
【０００１】
本発明は、リングスパナの構造に関するもので、簡単で、且つコストが低く、逆回転復位するものである。
【背景技術】
【０００２】
公知の一般的なリングスパナの構造は、主にリングスパナのヘッドに設置されたボックス部を六角形のネジ部品に合わせ、引き回してネジ部品を着脱する。
しかしながら、周知のスパナは、ネジ部品の着脱効果を得るため、往々にしてスパナを何度も往復させなければならない。一般にネジ部品を着脱する場合、ネジ部品周辺縁には障害物があり、そのためリングスパナでネジ部品を障害物と接触する角度まで回した後、リングスパナをネジ部品から外して再びリングスパナのボックス部をネジ部品の六角形ボックス部に合わせ、それから再び回さなければならない。この回転、取り出し、照準を何度も反復し、煩雑な順序を繰り返して、やっと部品の着脱が完成する。
【特許文献１】米国特許第６６５５２３９号の図１及び図２
【発明の開示】
【発明が解決しようとする課題】
【０００３】
解決しようとする問題点は、リングスパナを複数回に亘って取り出し、照準しなければならず、スパナを逆回転復位させる時に、時間がかかる点である。
更に、この種のリングスパナはボックス部をネジ部品の六角形部分に照準しなければならないため、空間が足りない場合にはボックス部にネジ部品を掛合することができず、使用できない点である。
上述の問題点は、ラチェットスパナに於いては解決されており、種類も多い。しかし、構造部品が多い上にコストが高く、組立にも時間がかかるという問題が残る。
【課題を解決するための手段】
【０００４】
本発明は、スパナ本体から構成される。このスパナ本体は少なくとも一端にリングスパナのボックス部が設置され、このリングスパナボックス部内縁には複数の山から構成される受部が形成され、ネジ部品を動かす。受部の別端には凹槽の肩部が設置され、その肩部は弾性を具えた塑性体が掛合される。平滑部は受部の別端に設置され、その平滑部直径は山を具えた受部よりやや大きい。そのため、ネジ部品が平滑部に入ると、空転し、スパナ本体が逆方向に復位することを最も主要な特徴とする。
【発明の効果】
【０００５】
本発明のリングスパナの構造は、簡単で、且つコストが低く、逆回転復位し、時間が無駄にかからず、狭い空間で使用できるという利点がある。
【発明を実施するための最良の形態】
【０００６】
ラチェットスパナの往復回転効果を得るという目的を、リングスパナで実現した。
【実施例１】
【０００７】
図１から図３に示すとおり、本発明は、下述を含む。
スパナ本体１０は、少なくとも一端にリング形のボックス部１１が設置される。このボックス部１１内壁縁面には適する深度のリングに複数個の山から構成される受部１２が設置され、この受部１２によってネジ部品を止める効果を具える。別に受部１２一端には凹槽状の肩部１４が設置され、この肩部１４に弾性を具えた塑性体１５が掛合される(図２及び図３参照)。この塑性体１５はプラスチックもしくはゴム等材質で作られる。この塑性体１５はスパナ本体１０金型成型時に肩部１４上に掛合される。
【０００８】
平滑部１３は、受部１２の別端に設置され、且つその平滑部１３の口径は山を具えた受部１２よりやや大きい。即ち本発明の平滑部１３口径はネジ止め部品の外径幅より大きい。ネジ止め部品よりやや大きい平滑部１３によって、ネジ止め部品を平滑部１３に入れた時、スパナ本体１０は逆方向へ戻ることができる。
【０００９】
本発明を使用する時、図４から図７に示すとおり、ネジ部品２０を着脱する場合、スパナ本体１０のボックス部１１をネジ部品２０に嵌入し、圧力をかけると、この圧力は塑性体１５の抵抗力より大きいため、塑性体１５を上方向へ圧縮し、同時にネジ部品２０上端の六角ヘッド２１とボックス部１１内壁縁面の受部１２が相互に掛合される。スパナ本体１０を障害物と接触する場所まで回転させ、続けて回転できなくなった時、使用者が力をゆるめただけで、塑性体１５は弾力を回復してスパナ本体１０を上へ引き上げ、本体と受部１２に掛合しているネジ部品２０の六角ヘッド２１を平滑部１３へ導く。この平滑部１３は山を具えておらず、且つ口径がネジ部品２０の六角ヘッド２１よりやや大きいため、スパナ本体１０は空転するようになり、それによって逆方向へ回転して復位することが可能になる。スパナ本体１０を逆方向へ復位した後、再び圧力をかけ、ネジ部品２０の六角ヘッド２１をリングボックス部１１内壁縁面の受部１２に掛合させる。このようにしてネジ部品２０を動かす。この平滑部１３によって、ボックス部１１を素早く動かす効果を得る。
【００１０】
上述は本発明の一実施例で、本発明を制限するものではない。このため、同じ意図によるもので如何なる装飾、変更のものも本発明の範囲とする。
【実施例２】
【００１１】
そのうち、図８から図１２に示すのは、塑性体１５´に弾性を具えた空気クッションを使用している。
【図面の簡単な説明】
【００１２】
【図１】本発明の塑性体結合前の外観指示図である。
【図２】本発明の外観指示図である。
【図３】本発明のボックス部外観指示図である。
【図４】本発明の使用状態指示図である。
【図５】図４の局部拡大指示図である。
【図６】本発明の別の使用状態指示図である。
【図７】図６の局部拡大指示図である。
【図８】本発明の第二実施例立体断面指示図である。
【図９】本発明の第二実施例使用状態指示図である。
【図１０】図９の局部拡大指示図である。
【図１１】本発明第二実施例別の使用状態指示図である。
【図１２】図１１の局部拡大指示図である。
【符号の説明】
【００１３】
１０        スパナ本体
１１        ボックス部
１２        受部
１３        平滑部
１４        肩部
１５        塑性体
１５´      塑性体
２０        ネジ部品
２１        六角ネジヘッド
【図１】
2005262398.tif 000003
【図２】
2005262398.tif 000004
【図３】
2005262398.tif 000005
【図４】
2005262398.tif 000006
【図５】
2005262398.tif 000007
【図６】
2005262398.tif 000008
【図７】
2005262398.tif 000009
【図８】
2005262398.tif 000010
【図９】
2005262398.tif 000011
【図１０】
2005262398.tif 000012
【図１１】
2005262398.tif 000013
【図１２】
2005262398.tif 000014